(57)【要約】【課題】操作音をＯＮ−ＯＦＦするためのスイッチを別途設けずに、操作音のＯＮ−ＯＦＦ制御を可能にする入力支援ユニット及び入力支援システムを提供する。【解決手段】入力支援ユニットは、ユーザーによる規定の入力を支援する入力支援ユニットであって、第１受付部と、提示部と、第２受付部と、提示制御部とを備える。前記第１受付部は、ユーザーから規定の入力を受け付ける。前記提示部は、受け付けた規定の入力に伴って、受け付けた事実をユーザーに提示する。前記第２受付部は、規定の入力とは異なる所定の操作をユーザーから受け付ける。前記提示制御部は、受け付けた所定の操作に基づいて、ユーザーへの前記提示の要否を制御する。【選択図】図２
2019179295.tif 000002
【特許請求の範囲】
【請求項１】
ユーザーによる規定の入力を支援する入力支援ユニットであって、
ユーザーから前記規定の入力を受け付ける第１受付部と、
前記受け付けた規定の入力に伴って、前記受け付けた事実を前記ユーザーに提示する提示部と、
前記規定の入力とは異なる所定の操作をユーザーから受け付ける第２受付部と、
前記受け付けた所定の操作に基づいて、前記ユーザーへの前記提示の要否を制御する提示制御部と
を備える、入力支援ユニット。
【請求項２】
タッチパネルをさらに備え、
前記第１受付部は、前記タッチパネルに対する前記規定の入力を受け付け、
前記第２受付部は、前記タッチパネルに対する前記所定の操作を受け付け、
前記所定の操作は、前記タッチパネルのうちの一のスイッチに対する長押しの操作又は前記一のスイッチに対する連続押しの操作であり、
前記提示制御部は、前記長押しの操作又は前記連続押しの操作に基づいて、前記提示の要否の制御を行う、請求項１に記載の入力支援ユニット。
【請求項３】
前記提示部は、前記受け付けた事実を音声又は光によって前記ユーザーに提示する、請求項１又は２に記載の入力支援ユニット。
【請求項４】
入力支援ユニットと、通信端末とを備える入力支援システムであって、
前記入力支援ユニットは、
第１ユーザーから規定の入力を受け付ける第１受付部と、
前記受け受け付けた規定の入力に伴って、前記受け付けた事実を前記第１ユーザーに提示する提示部と、
前記通信端末から前記所定の操作を受信する受信部と、
前記受信した所定の操作に基づいて、前記第１ユーザーへの前記提示の要否を制御する提示制御部とを備え、
前記通信端末は、
第２ユーザーから所定の操作を受け付ける第２受付部と、
前記受け付けた所定の操作を前記入力支援ユニットに送信する送信部とを備える、入力支援システム。
【請求項５】
前記入力支援ユニットは、第１タッチパネルをさらに備え、
前記第１受付部は、前記第１ユーザーから前記第１タッチパネルに対する前記規定の入力を受け付け、
前記通信端末は、第２タッチパネルをさらに備え、
前記第２受付部は、前記第２ユーザーから前記第２タッチパネルに対する前記所定の操作を受け付け、
前記所定の操作は、前記第２タッチパネルのうちの一のスイッチに対する長押しの操作又は前記一のスイッチに対する連続押しの操作である、請求項４に記載の入力支援システム。
【発明の詳細な説明】
【技術分野】
【０００１】
本発明は、入力支援ユニット及び入力支援システムに関する。
【背景技術】
【０００２】
家電機器及び電子機器等においては、タッチパネル及び押しボタン等に対する入力操作を行う際に、操作音を発音させることによって入力操作の有無を認識させ、その操作性を高めることが行われている（例えば、特許文献１）。
【先行技術文献】
【特許文献】
【０００３】
【特許文献１】特開２０１０−１６５１９７号公報
【発明の概要】
【発明が解決しようとする課題】
【０００４】
しかしながら、上記の操作音をＯＮ−ＯＦＦするためには、通常のスイッチ以外に、操作音をＯＮ−ＯＦＦするためのスイッチ（例えば、ＤＩＰスイッチ等）を別途設ける必要があり、ユーザーに煩わしい操作を強いるばかりでなく、コストアップをも招いていた。
【０００５】
本発明は、上記問題に鑑みてなされたものであり、その目的は、操作音をＯＮ−ＯＦＦするためのスイッチを別途設けずに、操作音のＯＮ−ＯＦＦ制御を可能にする入力支援ユニット及び入力支援システムを提供することにある。
【課題を解決するための手段】
【０００６】
本願に開示する入力支援ユニットは、ユーザーによる規定の入力を支援する入力支援ユニットであって、第１受付部と、提示部と、第２受付部と、提示制御部とを備える。前記第１受付部は、ユーザーから規定の入力を受け付ける。前記提示部は、受け付けた規定の入力に伴って、受け付けた事実をユーザーに提示する。前記第２受付部は、規定の入力とは異なる所定の操作をユーザーから受け付ける。前記提示制御部は、受け付けた所定の操作に基づいて、ユーザーへの前記提示の要否を制御する。
【０００７】
本願に開示する入力支援ユニットは、タッチパネルをさらに備えることが好ましい。前記第１受付部は、前記タッチパネルに対する前記規定の入力を受け付け、前記第２受付部は、前記タッチパネルに対する前記所定の操作を受け付けることが好ましい。前記所定の操作は、前記タッチパネルのうちの一のスイッチに対する長押しの操作又は前記一のスイッチに対する連続押しの操作であり、前記提示制御部は、前記長押しの操作又は前記連続押しの操作に基づいて、前記提示の要否の制御を行うことが好ましい。
【０００８】
本願に開示する入力支援ユニットにおいて、前記提示部は、前記受け付けた事実を音声又は光によって前記ユーザーに提示することが好ましい。
【０００９】
本願に開示する入力支援システムは、入力支援ユニットと、通信端末とを備える。前記入力支援ユニットは、第１受付部と、提示部と、受信部と、提示制御部とを備える。前記第１受付部は、第１ユーザーから規定の入力を受け付ける。前記提示部は、前記受け受け付けた規定の入力に伴って、前記受け付けた事実を前記第１ユーザーに提示する。前記受信部は、前記通信端末から前記所定の操作を受信する。前記提示制御部は、前記受信した所定の操作に基づいて、前記第１ユーザーへの前記提示の要否を制御する。前記通信端末は、第２受付部と、送信部とを備える。前記第２受付部は、第２ユーザーから所定の操作を受け付ける。前記送信部は、前記受け付けた所定の操作を前記入力支援ユニットに送信する。
【００１０】
本願に開示する入力支援システムにおいて、前記入力支援ユニットは、第１タッチパネルをさらに備えることが好ましい。前記第１受付部は、前記第１ユーザーから前記第１タッチパネルに対する前記規定の入力を受け付けることが好ましい。前記通信端末は、第２タッチパネルをさらに備えることが好ましい。前記第２受付部は、前記第２ユーザーから前記第２タッチパネルに対する前記所定の操作を受け付け付けることが好ましい。前記所定の操作は、前記第２タッチパネルのうちの一のスイッチに対する長押しの操作又は前記一のスイッチに対する連続押しの操作であってもよい。
【発明の効果】
【００１１】
本発明によれば、操作音をＯＮ−ＯＦＦするためのスイッチを別途設けずに、操作音のＯＮ−ＯＦＦ制御が可能になる。
【図面の簡単な説明】
【００１２】
【図１】本発明の実施形態に係る電力システムを示す図である。
【図２】電力システムにおける照明制御システムの構成を示すブロック図である。
【図３】照明制御システムにおける通信端末の構成を示すブロック図である。
【図４】照明制御システムにおける照明制御画面を示す図である。
【図５】通信端末を用いて操作音の遠隔制御を行う場合の処理を示すフローチャートである。
【図６】信号変換ユニットにおける通信制御処理を示すフローチャートである。
【図７】照明制御ユニットにおける入力支援処理を示すフローチャートである。
【発明を実施するための形態】
【００１３】
以下、図面を参照して本発明の実施形態を説明する。ただし、本発明は以下の実施形態に限定されない。図中、同一又は相当部分については同一の参照符号を付して説明を繰り返さない。図面は、理解しやすくするために、それぞれの構成要素を主体に模式的に示している。
【００１４】
図１及び図２を参照して、本発明の実施形態に係る電力システム１００について説明する。図１は、電力システム１００を示す図である。図２は、照明制御システム２００を示す図である。
【００１５】
図１に示すように、電力システム１００は、所定の施設内の電力の管理に関するシステムである。施設は、例えば、住宅のような建造物、ビル、工場、又は駅である。また、本実施形態において、電力システム１００は、照明制御システム２００と、分電盤７と、複数の家電８とを備える。照明制御システム２００は、システム制御装置１と、ルーター２と、照明制御装置３と、複数の照明器具６と、通信端末９とを備える。照明制御システム２００は、外部ネットワーク１１の通信端末１０との接続が可能である。
【００１６】
システム制御装置１は、照明制御システム２００を含む電力システム１００の全体を制御する制御装置である。システム制御装置１は、ルーター２を介して照明制御装置３、分電盤７、及び通信端末９と接続する。さらに、システム制御装置１は、ルーター２を介して所定のネットワークに接続が可能である。ネットワークは、例えばインターネット又はホームネットワークである。そして、システム制御装置１が照明制御装置３のサーバーとして機能し、通信端末９及び通信端末１０に対し、照明制御装置３における表示画面にアクセスを許可するように構成してもよい。また、システム制御装置１は、例えば、ＨＥＭＳ（Ｈｏｍｅ  Ｅｎｅｒｇｙ  Ｍａｎａｇｅｍｅｎｔ  Ｓｙｓｔｅｍ）コントローラーであってもよい。
【００１７】
さらにまた、システム制御装置１は、照明器具６に対する制御の内容を示す第１制御信号及び／又は家電８に対する制御の内容を示す家電用制御信号を生成してもよい。具体的には、システム制御装置１は、第１通信プロトコルに準拠した通信を実行してもよい。従って、システム制御装置１は、第１通信プロトコルに準拠した信号形式を有する第１制御信号及び／又は家電用制御信号を生成してもよい。第１制御信号は、例えば、ＥＣＨＯＮＥＴ  Ｌｉｔｅ（登録商標）などの通信プロトコルに従った信号である。ＥＣＨＯＮＥＴ  Ｌｉｔｅは、施設内の有線又は無線等を利用したネットワークの規格である。
【００１８】
ルーター２は、例えばホームネットワークに含まれる。ホームネットワークは、例えば、家庭内に構築された通信システムのＬＡＮ（Ｌｏｃａｌ  Ａｒｅａ  Ｎｅｔｗｏｒｋ）環境のことを示す。ホームネットワークにおいて、ルーター２は、無線通信又は有線通信によって照明制御装置３及び通信端末９と接続する。さらに、ルーター２は、外部ネットワーク１１を介して通信端末１０と接続が可能である。
【００１９】
照明制御装置３は、単数又は複数の照明器具６に対して、種々の制御が可能である。特に、照明制御装置３は、ユーザーの操作に伴って発音される操作音について制御を行う。照明制御装置３は、信号変換ユニット４と、照明制御ユニット５とを含む。信号変換ユニット４は、照明制御ユニット５に接続可能である。本実施形態では、信号変換ユニット４と照明制御ユニット５とは有線接続される。有線接続は、例えばＲＳ−４８５である。なお、通信端末９及び通信端末１０は、照明制御装置３における操作音について遠隔制御を行うため、ルーター２を介して制御メッセージを送信することができる。
【００２０】
照明器具６は、例えば、ダウンライト又は間接照明である。照明器具６は、制御部５２の指示に従って点灯し、又は消灯する。さらに、照明器具６は、制御部５２によって調光され、及び／又は調色され得る。
【００２１】
分電盤７は、例えば、分岐回路、通信機器、及び制御部（何れも図示せず）を備える。分電盤７の分岐回路は、システム制御装置１、ルーター２、信号変換ユニット４、照明制御ユニット５、及び複数の家電８の各々に外部電力を供給する。照明器具６には、照明制御ユニット５を介して外部電力が供給される。
【００２２】
家電８は、例えば、空調機器（エアコン）、テレビ、又は冷蔵庫である。家電８は、分電盤７の制御部に従って動作する。
【００２３】
図２に示す信号変換ユニット４は、ルーター２を介して受信した制御メッセージを照明制御ユニット５が認識可能な制御データに変換する。ここで、「制御メッセージ」は、照明制御ユニット５における操作音の発音の要否を制御するためのメッセージである。さらに、制御メッセージは、後述するブザー部５４を特定する機器ＩＤと制御内容とを含むメッセージである。制御内容には、例えば「操作音発音」又は「操作音消音」が含まれる。信号変換ユニット４は、通信部４１と、制御部４２と、変換部４３と、記憶部４４とを備える。
【００２４】
通信部４１は、ルーター２を介して、制御メッセージを受信する。通信部４１は、例えば通信インターフェースである。さらに、通信部４１は、制御部４２の指示により、変換部４３において生成された制御データを照明制御ユニット５に送信する。なお、ルーター２及び通信部４１は、受信部の一例である。
【００２５】
制御部４２は、信号変換ユニット４の全体の動作を制御する。制御部４２は、例えば、マイクロコンピューターである。制御部４２は、記憶部４４に記憶された制御プログラムを実行することによって、信号変換ユニット４における種々の制御を行う。具体的には、制御部４２は、受信された制御メッセージを制御データに変換するように変換部４３に指示する。さらに、制御部５２は、変換された制御データを照明制御ユニット５に送信するように通信部４１に指示する。
【００２６】
変換部４３は、通信部４１が受信した制御メッセージを、照明制御ユニット５が認識可能な制御データに変換する。具体的には、照明制御ユニット５は、ホームネットワークの通信プロトコル又はインターネットの通信プロトコルに準拠した通信形式の制御メッセージを照明制御ユニット５が認識可能な制御データに変換する。制御データとしては、例えば「ＢＵＺＺＥＲ＿ＯＮ」と、「ＢＵＺＺＥＲ＿ＯＦＦ」とがある。「ＢＵＺＺＥＲ＿ＯＮ」は、ブザー部５４において操作音を発音させるための制御データである。「ＢＵＺＺＥＲ＿ＯＦＦ」は、ブザー部５４において操作音の発音を禁止させるための制御データである。従って、制御メッセージに「操作音発音」が含まれている場合は、制御メッセージから「ＢＵＺＺＥＲ＿ＯＮ」の制御データに変換し、制御メッセージに「操作音消音」が含まれている場合は、制御メッセージから「ＢＵＺＺＥＲ＿ＯＦＦ」の制御データに変換する。なお、変換部４３は、例えば、ＥＣＨＯＮＥＴ  Ｌｉｔｅなどの通信プロトコルに従った第１制御信号を、照明制御ユニット５が認識可能なプロトコルに従った第２制御信号に変換してもよい。
【００２７】
記憶部４４は、信号変換ユニット４の動作に関する各種のデータ、及び信号変換ユニット４の制御に関する各種のデータを記憶する。記憶部４４は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び／又はＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）によって構成される。
【００２８】
図２に示す照明制御ユニット５は、操作部５３でユーザーから受け付けた操作に基づいて、単数又は複数の照明器具６に関する種々の制御を行う。特に、照明制御ユニット５は、ユーザーから受け付けた操作入力に伴って発音される操作音の要否を制御する。照明制御ユニット５は、通信部５１と、制御部５２と、操作部５３と、ブザー部５４と、記憶部５５とを含む。なお、照明制御ユニット５は、単数又は複数の照明器具６の点灯又は消灯について、並びに各照明器具６の調光及び／又は調色について制御してもよい。
【００２９】
通信部５１は、信号変換ユニット４の通信部４１から制御データを受信するとともに、受信した制御データを制御部５２に送付する。
【００３０】
制御部５２は、照明制御ユニット５の全体の動作を制御する。制御部５２は、例えば、マイクロコンピューターであり、記憶部５５に記憶された制御プログラムを実行することによって、照明制御ユニット５における種々の制御を行う。
【００３１】
特に、制御部５２は、操作部５３を介してユーザーから受け付けた操作に基づいて、ブザー部５４による操作音の発音について制御する。操作音の発音を制御する操作には、後述する「所定の操作」が該当する。さらに、制御部５２は、通信部５１を介して受信した制御データに基づいて、ブザー部５４における操作音の発音について制御する。なお、制御部５２は、提示制御部の一例である。
【００３２】
操作部５３は、単数又は複数の照明器具６の制御に関する情報をユーザーに提示するとともに、ユーザーから制御に関する操作を受け付ける。操作部５３は、例えばタッチパネルを有する液晶ディスプレーである。なお、操作部５３は押しボタンであってもよい。
【００３３】
操作部５３は、ユーザーから、タッチパネルに対する通常の入力と、通常の入力とは異なる特殊な操作を受け付ける。ここで、通常の入力（以下、「規定の入力」ともいう。）とは、タッチパネルに表示されている照明器具の制御に関する入力をいう。通常の入力としては、例えば、照明器具６が表示されているタッチパネルにおいて、照明器具６を点灯又は消灯するための入力が該当する。
【００３４】
一方、特殊な操作とは、ブザー部５４における操作音の発音を制御するための操作をいう。特殊な操作としては、例えば、スイッチの「長押し」及び「連続押し」が該当する。例えば、制御部５２は、スイッチが「長押し」された場合には操作音を発音させるように制御し、スイッチが「連続押し」された場合には操作音の発音を禁止するように制御する。なお、操作部５３は、第１受付部、第２受付部及び第１タッチパネルの一例である。
【００３５】
ブザー部５４は、制御部５２の指示により、操作部５３においてユーザーから「通常の入力」を受け付けた際に、操作音を発音させ、又は操作音の発音を禁止する。なお、ブザー部５４は、提示部の一例である。
【００３６】
記憶部５５は、照明制御ユニット５の動作に関する各種のデータ、及び照明制御ユニット５の制御に関する各種のデータを記憶する。記憶部５５は、例えば、ＲＯＭ、ＲＡＭ、及び／又はＥＥＰＲＯＭによって構成される。特に、記憶部５５は、ブザー部５４の操作音の発音を制御するための「ブザーフラグ」を記憶する。ブザーフラグには、「ＢＵＺＺＥＲ＿ＯＮ」を示す「１」の値、又は「ＢＵＺＺＥＲ＿ＯＦＦ」を示す「０」の値が設定される。
【００３７】
図３は、通信端末９及び通信端末１０の構成を示すブロック図である。本実施形態では、通信端末９及び通信端末１０は、同一の機能を有しているものとする。通信端末９及び通信端末１０は、例えば、ユーザーが操作可能なコンピューターである。具体的には、通信端末９及び通信端末１０は、例えば、スマートフォン、タブレットコンピューター、又はパーソナルコンピューターのような携帯可能なコンピューターである。通信端末９及び通信端末１０は、ホームネットワーク及び外部ネットワーク１１を介してルーター２に接続可能である。通信端末９及び通信端末１０は、それぞれ通信部１２と、制御部１３と、入出力部１４と、記憶部１５とを備える。
【００３８】
通信部１２は、ルーター２を介して、照明制御ユニット５のブザー部５４における操作音の発音の要否を制御する制御メッセージを送信する。通信部４１は、例えば通信インターフェースである。なお、通信部１２は、ルーター２を介して第１制御信号を送信する機能を有していてもよい。さらに、通信部１２は、後述の制御部１３において生成された第１制御信号及び／又は家電用制御信号を外部ネットワーク１１又はホームネットワークを介してルーター２に送信する機能を有していてもよい。なお、通信部１２は、送信部の一例である。
【００３９】
制御部１３は、通信端末９又は通信端末１０の全体の動作を制御する。制御部１３は、例えば、マイクロコンピューターであり、記憶部１５に記憶された制御プログラムを実行することによって、通信端末９又は通信端末１０における種々の制御を行う。
【００４０】
特に、制御部１３は、ルーター２を介して照明制御ユニット５に操作音を制御するための制御メッセージを送信するように通信部１２に指示する。なお、システム制御装置１が照明制御装置３のサーバーとして機能し、操作部５３における画面にアクセス可能な場合は、制御部１３は、ブラウザでシステム制御装置１にアクセスして操作部５３と同等の画面を表示させながら、入出力部１４のスイッチを「長押し」又は「連続押し」を行うことにより、操作音の発音について制御を行うこととしてもよい。
【００４１】
入出力部１４は、各種の情報をユーザーに提示するとともに、ユーザーから制御に関する操作を受け付ける。操作部５３は、例えばタッチパネルを有する液晶ディスプレーである。
【００４２】
特に、入出力部１４は、ユーザーからタッチパネルに対する「通常の入力」と「特殊な操作」とを受け付ける。さらに、入出力部１４は、操作部５３におけるタッチパネルに表示されている画面と同様の画面の表示が可能である。なお、入出力部１４は、第２受付部及び第２タッチパネルの一例である。
【００４３】
記憶部１５は、通信端末９又は通信端末１０の動作に関する各種のデータ及び制御に関する各種のデータを記憶する。記憶部５５は、ＲＯＭ、ＲＡＭ、及び／又はソリッドステートドライブ（Ｓｏｌｉｄ  Ｓｔａｔｅ  Ｄｒｉｖｅ：ＳＳＤ）によって構成される。
【００４４】
図４は、照明制御システム２００における照明制御画面を示す図である。図４（ａ）は、照明制御ユニット５の操作部５３のタッチパネルに表示される画面例である。図４（ａ）においては、リビングに、制御対象の３台の照明器具６ａ〜６ｂが設置されている様子が示されている。さらに、図４（ａ）には、「操作音が発音する状態」であることを示すアイコン５３ｂが表示されている。
【００４５】
図４（ｂ）は、図４（ａ）に示す中央の「消灯中の照明器具６ｂ」に対する、ユーザーから所定の操作として「連続押し」を受け付けた場合の画面例である。ユーザーから「連続押し」を受け付けた結果、アイコン５３ｂが表示されている。アイコン５３ｂは、「操作音が発音しない状態」であることを示す。なお、システム制御装置１が照明制御装置３のサーバーとして機能する場合は、通信端末９及び通信端末１０においても、図４（ａ）及び図４（ｂ）の画面が表示され、その画面において操作音の要否を制御することが可能である。
【００４６】
図５は、通信端末９又は通信端末１０を用いて操作音の遠隔制御を行う場合の処理を示すフローチャートである。
【００４７】
まず、通信端末９又は通信端末１０は、ユーザーの操作によってネットワークに接続される（ステップＳ１０２）。例えば、通信端末９又は通信端末１０は、ルーター２を介して、家庭内に構築されたＬＡＮに接続される。
【００４８】
次に、通信端末９又は通信端末１０は、ユーザーによって制御用のアプリケーションソフトウェア（以下、「制御用アプリ」という。）が起動される（ステップＳ１０４）。なお、制御用アプリには、ブラウザを含んでいてもよい。ここで、通信端末９又は通信端末１０の制御部１３は、照明制御ユニット５の操作部５３の機器ＩＤを取得してもよい。
【００４９】
さらに、通信端末９又は通信端末１０は、ユーザーによって制御エリアが指定され（ステップＳ１０６）、制御対象の器具（以下、「制御器具」ともいう。）が指定される（ステップＳ１０８）。
【００５０】
この後、通信端末９又は通信端末１０は、ユーザーから、入出力部１４のタッチパネルを介して所定の操作を受け付ける（ステップＳ１１０）。
【００５１】
ここで、通信端末９又は通信端末１０は、ユーザーから受け付けた所定の操作が「長押し」か否かを判定する（ステップＳ１１２）。例えば、ユーザーから受け付けた所定の操作が「長押し」の場合は（ステップＳ１１２でＹｅｓ）、制御メッセージの制御内容を「操作音発音」に設定する（ステップＳ１１４）。
【００５２】
一方、通信端末９又は通信端末１０は、ユーザーから受け付けた所定の操作が「長押し」でない場合は（ステップＳ１１２でＮｏ）、ユーザーから受け付けた所定の操作が「連続押し」か否かを判定する（ステップＳ１１６）。ユーザーから受け付けた所定の操作が「連続押し」の場合は（ステップＳ１１６でＹｅｓ）、制御メッセージの制御内容を「操作音消音」に設定する（ステップＳ１１８）。なお、ユーザーから受け付けた所定の操作が「連続押し」でない場合は（ステップＳ１１６でＮｏ）、ステップＳ１１０に戻る。
【００５３】
通信端末９又は通信端末１０は、制御内容の「操作音発音」又は制御内容の「操作音消音」を含む制御メッセージを照明制御装置３に送信する（ステップＳ１２０）。なお、制御メッセージには、上記の機器ＩＤを含んでいてもよい。
【００５４】
図６は、信号変換ユニット４の制御部４２における通信制御処理を示すフローチャートである。図６に示すように、まず、通信部４１が、ルーター２を介して制御メッセージを受信すると（ステップＳ２０２でＹｅｓ）、制御部４２が、受信した制御メッセージの制御内容が“操作音発音”又は“操作音消音”であるか否かを判定する（ステップＳ２０４）。なお、通信部４１は、ルーター２を介して制御メッセージを受信するまで（ステップＳ２０２でＮｏ）、待機している。
【００５５】
制御部４２は、受信した制御メッセージの制御内容が“操作音発音”又は“操作音消音”である場合は（ステップＳ２０４でＹｅｓ）、照明制御ユニット５に制御内容を示す制御データを送信する（ステップＳ２０６）。
【００５６】
制御部４２は、受信した制御メッセージの制御内容が“操作音発音”及び“操作音消音”の何れでもない場合は（ステップＳ２０４でＮｏ）、受信した信号が第１制御信号か否かを判定する（ステップＳ２０８）。
【００５７】
制御部４２は、受信した信号が第１制御信号であると判定した場合は（ステップＳ２０８でＹｅｓ）、その第１制御信号について処理を実行する（ステップＳ２１０）。なお、制御部４２は、受信した信号が第１制御信号でないと判定した場合は（ステップＳ２０８でＮｏ）、ステップＳ２０２に戻る。
【００５８】
その後、制御部４２は、通信制御処理を終えるまで上記処理（ステップＳ２０２〜ステップＳ２１２）を繰り返す。
【００５９】
図７は、照明制御ユニット５の制御部５２における入力支援処理を示すフローチャートである。制御部５２は、例えば、タッチパネルのスイッチ部が「長押し」された場合に操作音を発音させるように制御し、併せて記憶部５５に記憶するブザーフラグの値を「１」に設定する。さらに、制御部５２は、「連続押し」された場合に操作音を発音させないように制御し、併せて上記ブザーフラグの値を「０」に設定することとする。
【００６０】
図７に示すように、まず、制御部５２は、操作部５３に表示されているタッチパネルが押下されたか否かを判定する（ステップＳ３０２）。制御部５２は、タッチパネルの押下が「長押し」の場合は（ステップＳ３０４でＹｅｓ）、ブザーフラグを「１」に設定する（ステップＳ３１６）。
【００６１】
また、制御部５２は、タッチパネルの押下が「長押し」でなく（ステップＳ３０４でＮｏ）、「連続押し」の場合は（ステップＳ３０６でＹｅｓ）、ブザーフラグを「０」に設定する（ステップＳ３２０）。
【００６２】
これにより、制御部５２は、上記のようにタッチパネルのスイッチ部が「長押し」又は「連続押し」の操作（以下、「所定の操作」という。）がされた場合は、その操作に伴って設定されたブザーフラグの値に基づいて、タッチパネルを操作した際に操作音を発音させるか、操作音を発音させないかについて決定する（ステップＳ３０８）。
【００６３】
そして、制御部５２は、ブザー部５４に対し、「長押し」及び「連続押し」以外の入力（以下、「規定の入力」という。）がなされた場合は（ステップＳ３０４でＮｏ、かつ、ステップＳ３０６でＮｏ）、上記のように決定されたように操作音を制御しつつ（ステップＳ３０８）、押下されたスイッチ部に応じた処理を実行する（ステップＳ３１０）。
【００６４】
制御部５２は、上記のように操作部５３のタッチパネルへの押下はされていないが（ステップＳ３０２でＮｏ）、通信部５１を介して制御データを受信した場合は（ステップＳ３１２でＹｅｓ）、その制御データが“ＢＵＺＺＥＲ＿ＯＮ”の場合は（ステップＳ３１４でＹｅｓ）、記憶部５５のブザーフラグを「１」に設定する。一方、通信部５１を介して受信した制御データが“ＢＵＺＺＥＲ＿ＯＦＦ”の場合は（ステップＳ３１８でＹｅｓ）、記憶部５５のブザーフラグを「０」に設定する。
【００６５】
これにより、操作部５３のタッチパネルに対する「長押し」又は「連続押し」の操作がなされた場合と同様に、制御部５２は、外部より受信した制御メッセージに基づいて設定されたブザーフラグの値に基づいて、タッチパネルを操作した際に操作音を発音させるか、操作音を発音させないかについて決定し（ステップＳ３０８）、操作音の制御を行うことが可能となる（ステップＳ３１０）。
【００６６】
なお、制御部５２は、受信した信号が「長押し」及び「連続押し」の何れでもない場合は（ステップＳ３１４でＮｏ、かつ、ステップＳ３１８でＮｏ）、その信号が第２制御信号か否かを判定する（ステップＳ３２２）。制御部５２は、受信した信号が第２制御信号の場合は（ステップＳ３２２でＹｅｓ）、その第２制御信号に基づく処理を実行する（ステップＳ３２４）。なお、制御部５２は、受信した信号が第２制御信号でない場合は（ステップＳ３２２でＮｏ）、ステップＳ３０２に戻る。
【００６７】
なお、制御部５２は、本制御処理を終える指示があるまで（ステップＳ３２６でＮｏ）、上記処理（ステップＳ３０２〜ステップＳ３２６）を繰り返す。
【００６８】
以上、図１から図７を参照して、照明制御システム２００における操作音の制御について説明した。照明制御システム２００によれば、操作音をＯＮ−ＯＦＦするためのスイッチを別途設けずとも、遠隔操作を含む簡便な操作で、操作音の発音の要否について制御することができる。
【００６９】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明を構成することが可能である。例えば、実施形態に示される全構成要素から幾つかの構成要素を削除してもよい。
【００７０】
なお、通信端末９及び通信端末１０は、ルーター２を介して、第１制御信号及び／又は家電用制御信号を生成するようにシステム制御装置１を制御する機能を有していてもよい。この場合、システム制御装置１は、通信端末９又は通信端末１０の指示に従って第１制御信号及び／又は家電用制御信号を生成する。また、通信端末９及び通信端末１０は、第１制御信号及び／又は家電用制御信号を生成する機能を有していてもよい。
【産業上の利用可能性】
【００７１】
本発明は、入力支援ユニット及び入力支援システムに関するものであり、産業上の利用可能性を有する。
【符号の説明】
【００７２】
２      ルーター
３      照明制御装置
４      信号変換ユニット
９，１０    通信端末
１１    外部ネットワーク
１２，４１，５１    通信部
１３，４２，５２    制御部
１４    入出力部
４３    変換部
５      照明制御ユニット
５３    操作部
５３ｂ  アイコン
５４    ブザー部
６，６ａ，６ｂ，６ｃ      照明器具
２００  照明制御システム
【図１】
2019179295.tif 000003
【図２】
2019179295.tif 000004
【図３】
2019179295.tif 000005
【図４】
2019179295.tif 000006
【図５】
2019179295.tif 000007
【図６】
2019179295.tif 000008
【図７】
2019179295.tif 000009